(57)【要約】【課題】  装飾枠部材と遊技盤との間で粉を吹くことがなく、安定した遊技を継続して行うことができる遊技機を提供する。【解決手段】  遊技球が流下する遊技領域１５を表面に有する遊技盤１１に、センター役物１２を構成する装飾枠部材１３が着脱可能に取付固定されており、装飾枠部材１３は、遊技盤１１に取り付けられたときに遊技盤１１の表面と対向する裏面を有し、裏面には、他の部分よりも肉厚が厚く裏面から後方に向けて盛り上がるように形成された厚肉部４６を有しており、装飾枠部材１３を遊技盤１１に取り付けたときに、厚肉部４６の裏面が遊技盤１１の表面と当接し、厚肉部４６の裏面と遊技盤１１の表面とが当接している以外の箇所に、厚肉部４６の裏面と遊技盤１１の表面との間に所定間隔の隙間４９を形成した。【選択図】図２
2020081105.tif 000002
【特許請求の範囲】
【請求項１】
遊技球が流下する遊技領域を表面に有する遊技盤に、センター役物を構成する装飾枠部材が着脱可能に取付固定されている遊技機であって、
前記装飾枠部材は、前記遊技盤に取り付けられたときに前記遊技盤の表面と対向する裏面を有し、前記裏面には、他の部分よりも肉厚が厚く前記裏面から後方に向けて盛り上がるように形成された厚肉部を有しており、
前記装飾枠部材を前記遊技盤に取り付けたときに、前記厚肉部の裏面が前記遊技盤の表面と当接し、前記厚肉部の裏面と前記遊技盤の表面とが当接している以外の箇所には、前記厚肉部の裏面と前記遊技盤の表面との間に所定間隔の隙間が形成されていることを特徴とする遊技機。
【請求項２】
前記厚肉部には、前記厚肉部の裏面から後方に向けて突出するピン部材と、前記装飾枠部材の表面から裏面まで貫通する貫通孔との少なくともいずれかが形成されている請求項１記載の遊技機。
【発明の詳細な説明】
【技術分野】
【０００１】
本発明は、遊技盤にセンター役物が設けられている遊技機に関する。
【背景技術】
【０００２】
従来から知られている遊技機の一つとして、遊技球を用いて遊技を行うパチンコ機がある。パチンコ機は、遊技者の操作によって遊技球が順次弾発し、この弾発された遊技球が遊技盤に形成されている遊技領域を流下するように構成されている。遊技領域には、遊技球が入賞すると所定の動作を行う入賞装置や、遊技の進行に応じて各種の演出を行う表示装置を備えたセンター役物が配置されている。
【０００３】
パチンコ機は、裏ユニットと遊技盤に対して各種の入賞装置や表示装置などが取付固定されている。例えば、上記した表示装置は一般に裏ユニットにネジ止め等の方法によって取付固定されており、またセンター役物を構成する、表示装置の周囲を囲むように配置される装飾枠部材は遊技盤に取付固定されている。また、従来から存在する遊技機は、ベニヤ板などを用いた木製の遊技盤を用いることが多かったものの、近年は樹脂材料を用いた遊技盤を用いることが多くなっている（例えば、特許文献１）。
【０００４】
また近年は、特に表示装置が大型化する傾向があり、遊技領域の大部分を表示装置が占めることも増えている。また、装飾枠部材についても、遊技盤に取付固定されたときに、表示装置の一部を覆うように配置される場合がある。そのため、近年の遊技機では、装飾枠部材も透光性を有する樹脂材料で形成されていることが増えている。装飾枠部材を樹脂材料で形成する場合、成形のしやすさの観点などから装飾枠部材を固定枠部材と取付部品とから構成することがある。遊技盤には固定枠部材が取付固定され、取付部品が固定枠部材に取付固定されることにより、装飾枠部材が形成されている（例えば、特許文献２）。
【先行技術文献】
【特許文献】
【０００５】
【特許文献１】特開２０１３−０８１５３７号公報
【特許文献２】特開２０１５−１１６２７２号公報
【発明の概要】
【発明が解決しようとする課題】
【０００６】
しかしながら、上記した特許文献２に記載されている遊技機の場合には、遊技球が発射装置によって弾発されると、案内レールによって案内されつつ遊技領域を流下する。また、遊技球は遊技領域においては、発射装置での弾発強さに応じた力で装飾枠部材の取付部品に衝突しながら遊技領域を流下することになる。そのため、取付部品は遊技球が衝突するたびに衝撃を受けることになり、遊技中は継続的に振動した状態が続くことになる。このように、遊技中は遊技球が常に取付部品に衝突するため、衝撃を受けながら振動した状態を繰り返す。そのため、固定枠部材に対して取付部品が常に擦れるため、これら固定枠部材や取付部品を形成する樹脂材料が粉を吹き、遊技盤の表面に付着したりして見栄えが悪くなったり、遊技領域を流下する遊技球に粉が付着してしまい、遊技球の流下経路に少なからず影響を及ぼすおそれがあった。
【０００７】
本発明は、このような問題点に鑑みてなされたものであり、装飾枠部材と遊技盤との間で粉を吹くことがなく、安定した遊技を継続して行うことができる遊技機を提供することを目的とする。
【課題を解決するための手段】
【０００８】
本発明は、
（１）遊技球が流下する遊技領域を表面に有する遊技盤に、センター役物を構成する装飾枠部材が着脱可能に取付固定されている遊技機であって、前記装飾枠部材は、前記遊技盤に取り付けられたときに前記遊技盤の表面と対向する裏面を有し、前記裏面には、他の部分よりも肉厚が厚く前記裏面から後方に向けて盛り上がるように形成された厚肉部を有しており、前記装飾枠部材を前記遊技盤に取り付けたときに、前記厚肉部の裏面が前記遊技盤の表面と当接し、前記厚肉部の裏面と前記遊技盤の表面とが当接している以外の箇所には、前記厚肉部の裏面と前記遊技盤の表面との間に所定間隔の隙間が形成されていることを特徴とする遊技機、
（２）前記厚肉部には、前記厚肉部の裏面から後方に向けて突出するピン部材と、前記装飾枠部材の表面から裏面まで貫通する貫通孔との少なくともいずれかが形成されている上記（１）記載の遊技機を要旨とする。
【発明の効果】
【０００９】
本発明によれば、装飾枠部材の裏面に厚肉部を形成しておき、装飾枠部材を遊技盤に取り付けたときに厚肉部の裏面と遊技盤の表面との間に所定間隔の隙間を形成することができるので、装飾枠部材と遊技盤とが接触する面積を大きく減らすことができる。したがって、遊技球が装飾枠部材に衝突することにより装飾枠部材が振動し、該装飾枠部材と遊技盤との擦れによって生じる粉の発生をなくすことができ、遊技機の見栄えを損ねることなく、また遊技球の流下経路に影響を及ぼすことのない遊技機を提供することが可能になる。
【図面の簡単な説明】
【００１０】
【図１】本発明に係る遊技機の実施の形態を表す正面図である。
【図２】装飾枠部材の構成を表す正面図である。
【図３】装飾枠部材の構成を表す背面図である。
【図４】遊技盤及び装飾枠構成部材の構成を表す分解斜視図である。
【図５】遊技盤及び装飾枠構成部材の構成を表す分解斜視図である。
【図６】厚肉部の構成を説明するための説明図であり、図６（ａ）は厚肉部の背面図、図６（ｂ）は厚肉部が形成されている箇所の部分断面図である。
【図７】装飾枠構成部材が遊技盤に取付固定されているときの厚肉部と遊技盤の関係を説明するための説明図である。
【発明を実施するための形態】
【００１１】
本発明に係る遊技機の実施の形態について、図面を用いて詳細に説明する。なお、本明細書では、本発明に係る遊技機の例としてパチンコ機を用いて説明するが、本発明はパチンコ機以外の遊技機、例えばスロットマシン等といった各種の遊技機にも適用することができる。また、本明細書においては、パチンコ機（以下では、単に「遊技機」と言う。）及び遊技機を構成する各部材の「前側」、「後側」、「上側」、「下側」、「左側」及び「右側」は、遊技機を正面から見た場合における前側、後側、上側、下側、左側及び右側を示すものとする。また、本明細書では、遊技中に入賞して遊技機から遊技者に対して払い出される遊技球のことを「賞球」と言う。
【００１２】
［遊技機の外観構成］
まず、遊技機１の外観構成を図１に基づいて説明する。図１は、遊技機１の外観構成を表す正面図である。
【００１３】
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて構成されており、内部に遊技盤１１等を取付固定することができるように構成されている。
【００１４】
前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することができるように構成されている。また、前枠４は、遊技に使用する遊技球（図示せず）を一時的に貯留する上受け皿６と、この上受け皿６から溢れ出て流下した遊技球を貯留する下受け皿７とをガラス板５の下方に備えている。
【００１５】
遊技機１は、遊技盤１１に向けて遊技球を弾発するための発射装置（図示せず）を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作するための各種ボタン９ａ，９ｂ,９ｃが配置されている。また、遊技機１の上部には、音声を出力するスピーカ１０が設けられている。
【００１６】
遊技盤１１は、アクリルやポリカーボネート等のような合成樹脂材料で略正方形に形成された平板状の部材である。この遊技盤１１の背面側には、裏ユニット（図示せず）がビス等により取付固定されている。遊技盤１１には、センター役物１２を構成する装飾枠部材１３を取付固定するための開口部が略中央部に開口形成されている。また、遊技盤１１の表面には、発射装置で弾発された遊技球を遊技盤１１の上部へ案内する案内レール１４が設けられている。また、遊技盤１１には、案内レール１４により遊技盤１１の上部に案内された遊技球が遊技盤１１の下部に向けて流下する遊技領域１５が形成されている。即ち、遊技盤１１には、遊技領域１５の外延部に案内レール１４が設けられるようにして構成されており、発射装置で弾発された遊技球を遊技領域１５へ案内するように構成されている。
【００１７】
遊技領域１５には、センター役物１２を構成する液晶表示装置（図示せず）を視認可能にするとともに、装飾枠部材１３を取り付けるための開口部１６が略中央部に開口形成されている。また、遊技領域１５には、始動入賞装置１７、大入賞装置１８、通過ゲート１９などの各種入賞装置や、該遊技領域１５を流下した遊技球が流入するアウト口２０が設けられている。また、遊技領域１５には、多数の障害釘２１が打たれている。遊技領域１５を流下する遊技球は、障害釘２１に当たって流下方向を変化させながら、遊技領域１５の上部から下部に向かって流下する。遊技領域１５を流下する遊技球の一部は、上記した各種入賞装置に設けられている各種入賞口（図示せず）に入賞する。また、遊技領域１５を流下する遊技球のうち、各種入賞口に入賞しなかった遊技球は、遊技領域１５の下部に設けられているアウト口２０に流入する。
【００１８】
始動入賞装置１７は、遊技球が入球可能な大きさに開口する始動入賞口（図示せず）が開口形成されている。始動入賞装置１７は、遊技機１における遊技状態を遊技者に不利な通常遊技状態から遊技者に有利な特別遊技状態に移行させるか否かを抽選する大当たり抽選を行う契機となるようにしており、遊技中に遊技球が始動入賞口に入賞したことをきっかけにして、上記した大当たり抽選を行うようになっている。遊技機１は、この大当たり抽選に当選すると、通常遊技状態から大当たり遊技状態へと移行し、大当たり抽選に外れると、通常遊技状態を維持するようになっている。
【００１９】
大入賞装置１８は、遊技盤１１においてセンター役物１２の下方であって遊技盤１１の左右方向中央よりも右側にネジ止め等の方法で取付固定されている。大入賞装置１８は、大入賞口（図示せず）と、この大入賞口を開閉するための扉（図示せず）を備えている。大入賞装置１８は、通常遊技状態では扉は常に閉じており、特別遊技状態へ移行すると所定期間だけ一時的に開放するように構成されている。遊技機１では、上記した大当たり抽選に当選して遊技状態が通常遊技状態から特別遊技状態へと移行して扉が開放する。扉は、所定個数（例えば１０個）の遊技球が大入賞口に入賞するか、または所定時間（例えば３０秒）が経過するまでの間だけ開放しており、その間に遊技球が大入賞口へ入賞すると、その入賞した遊技球の数に対応した数の賞球を払い出す。
【００２０】
通過ゲート１９は、遊技盤１１の上下方向の略中央であって、該遊技盤１１の左右方向中央よりも右側にネジ止め等の方法で取付固定されている。通過ゲート１９は、遊技球が通過可能な大きさに形成された通過入賞口（図示せず）を有している。遊技球が通過入賞口を通過すると、予め定められた確率の下で所定の抽選を行う。
【００２１】
［装飾枠部材１３の構成］
次に、装飾枠部材１３の構成について説明する。上記した通り、装飾枠部材１３は、センター役物１２を構成する部材であり、遊技球が流下する遊技領域を表面に有している遊技盤１１に対して着脱可能に取付固定されている。この装飾枠部材１３は、図２に示している表面及び図３に示している裏面を有しており、遊技盤１１の表面に対して裏面が対向配置されるようにして取付固定される。また、装飾枠部材１３は、図２から図５に示すように複数の装飾枠構成部材によって構成されている。すなわち、本実施の形態では、装飾枠部材１３は、第１装飾枠構成部材３１、第２装飾枠構成部材３２、第３装飾枠構成部材３３及び第４装飾枠構成部材３４から構成されており、これら第１〜第４装飾枠構成部材３１〜３４が遊技盤１１に対して連続するように取付固定されて、一つの装飾枠部材１３が遊技盤１１に対して取付固定されるようになっている。
【００２２】
また、図２及び図３に示すように、これら第１〜第４装飾枠構成部材３１〜３４が遊技盤１１に対して取付固定されているときは、第１装飾枠構成部材３１と第２装飾枠構成部材３２との間には隙間３５が形成されており、第２装飾枠構成部材３２と第３装飾枠構成部材３３との間には隙間３６が形成されている。また、第３装飾枠構成部材３３と第４装飾枠構成部材３４との間には隙間３７が形成されており、及び第４装飾枠構成部材３４と第１装飾枠構成部材３１との間には隙間３８が形成されている。これら隙間３５〜３８はそれぞれ所定間隔を有するように形成されており、互いの装飾枠構成部材において発生した振動などが隣接する装飾枠構成部材に伝わらないようにすることができるようになっている。なお、これら隙間３５〜３８は、遊技中に遊技球が流下等する際に、遊技球の流下方向に影響を及ぼさない程度の隙間であることが好ましい。また、本実施の形態では、装飾枠構成部材の例として第１〜第４装飾枠構成部材３１〜３４を用いた例で説明しているが、これら装飾枠構成部材の数は４つに限定されるものではなく、４つより多くてもよいし、少なくてもよい。
【００２３】
第１装飾枠構成部材３１は、装飾枠部材１３の上部に位置する部材である。この第１装飾枠構成部材３１は、正面視すると左側に第４装飾枠構成部材３４と隣接し、右側に第２装飾枠構成部材３２と隣接するように配置されている。図２及び図４に示すように、第１装飾枠構成部材３１は、表面にリブ４２が形成されている。本実施の形態では、リブ４２としての第１リブ４３、第２リブ４４及び第３リブ４５が形成されている。これら第１〜第３リブ４３〜４５は、いわゆる「ぶっこみ」と呼ばれる箇所に相当しており、案内レール１４に案内されて遊技領域１５を流下する遊技球を衝突させるためのものである。遊技機１は、発射装置において弾発された遊技球を第１〜第３リブ４３〜４５に衝突させることによって、遊技球ごとに流下経路及び流下速度を変化させて、遊技に変化を持たせることができるようになっている。
【００２４】
また、図３及び図５に示すように、第１装飾枠構成部材３１は、裏面に厚肉部としての第１厚肉部４６が形成されている。この第１厚肉部４６は、第１装飾枠構成部材３１の裏面において、他の部分よりも肉厚が厚く裏面から後方に向けて盛り上がるように形成されている。また、この第１厚肉部４６には、この第１厚肉部４６の裏面から後方に向けて突出するピン部材としての第１ピン部材４７と、第１装飾枠構成部材３１の表面から裏面まで貫通する貫通孔としての第１貫通孔４８とを有している。
【００２５】
第１装飾枠構成部材３１は、左右方向に延びる形状をしており、この第１装飾枠構成部材３１の長手方向両端部に第１厚肉部４６が形成されている。また、第１厚肉部４６は、第１装飾枠構成部材３１において、第１ピン部材４７が第１貫通孔４８よりも長手方向端部に近い位置に配置されるように形成されている。なお、第１厚肉部４６は、第１装飾枠構成部材３１の左右方向両端部にのみ形成されているのではなく、所定間隔をおいた任意の位置に設けてもよい。例えば、図３及び図５に示すように、本実施の形態に係る遊技機１では第１装飾枠構成部材３１の長手方向中央部に形成してもよい。この第１厚肉部４６は、第１装飾枠構成部材３１を遊技盤１１に取付固定することができるように構成されているため、第１装飾枠構成部材３１を遊技盤１１に取り付けたときに第１厚肉部４６が形成されている箇所にのみ過度な負荷がかかって割れたり破損すること生じないようにするためである。
【００２６】
上記した通り、第１厚肉部４６は外周縁４６ａ、第１ピン部材４７及び第１貫通孔４８を備えている。また、第１厚肉部４６において、第１ピン部材４７は、該第１ピン部材４７の外周縁から時計１２時方向に位置する外周縁４６ａまでの距離及び第１ピン部材４７の外周縁から時計６時方向に位置する外周縁４６ａまでの距離である第１の幅Ｗ１と、該第１ピン部材４７の外周縁から時計９時方向に位置する外周縁４６ａまでの距離である幅Ｗ３を有する位置に形成されている。また、第１厚肉部４６において、第１貫通孔４８は、該第１貫通孔４８の外周縁から時計６時方向に位置する外周縁４６ａまでの距離である第２の幅Ｗ２と該第１貫通孔４８の外周縁から時計３時方向に位置する外周縁４６ａまでの距離である幅Ｗ４を有する位置に形成されている。この第１厚肉部４６は、図６（ａ）及び（ｂ）に示すように、第１ピン部材４７の周囲における第１の幅Ｗ１と第１貫通孔４８の周囲における第２の幅Ｗ２とを比べると、第１の幅Ｗ１よりも第２の幅Ｗ２の幅の方が大きくなり、Ｗ１＜Ｗ２の関係が成立するように形成されている。同様に、第１ピン部材４７の周囲における幅Ｗ３と第１貫通孔４８の周囲における幅Ｗ４とを比べると、幅Ｗ３よりも幅Ｗ４の方が大きくなり、Ｗ３＜Ｗ４の関係が成立するように形成されている。第１貫通孔４８の周囲の幅Ｗ２及びＷ４を第１ピン部材４７の周囲の幅Ｗ１及びＷ３よりも大きく形成することによって、第１装飾枠構成部材３１を遊技盤１１に取付固定するにあたって第１貫通孔４８を挿通させてネジ７１を遊技盤１１に形成されている固定孔５２にネジ止め固定するときに第１貫通孔４８から径方向外方に向けて第１装飾枠構成部材３１に亀裂が入り、強度が大きく低下したり見栄えが悪くなるのを防止することができるようになっている。すなわち、第１装飾枠構成部材３１は、ネジ７１によって遊技盤１１に取付固定されるところ、ネジ７１による固定強さが弱すぎると装飾枠構成部材３１にガタツキが生じやすくなる。そのため、ネジ７１による固定強さは強くする方が望ましい。ところが、ネジ７１による固定強さが強くなると、第１装飾枠構成部材３１に割れや亀裂が入りやすくなる。このような割れや亀裂が入らないようにするために、第１貫通孔４８の周囲には第１ピン部材４７の周囲よりも広い範囲が肉厚になるように構成している。なお、第１ピン部材４７の周囲における第１の幅Ｗ１及び幅Ｗ３とは、同じ幅であってもよいし、異なっていてもよい。同様に、第１貫通孔４８の周囲における第２の幅Ｗ２及び幅Ｗ４とは、同じ幅であってもよいし、異なっていてもよい。
【００２７】
また、第１ピン部材４７と第１貫通孔４８とは、第１厚肉部４６内において所定間隔Ｌ１を開けて配置されており、第１厚肉部４６において上記した第１の幅Ｗ１から第２の幅Ｗ２に向けて連続的に幅が広がるように形成されている。つまり、第１厚肉部４６は、第１ピン部材４７が形成されている箇所から第１貫通孔４８が形成されている箇所に向けて、順次幅広となるように形成されている。
【００２８】
また、第１装飾枠構成部材３１の裏面は、第１厚肉部４６が形成されている以外の箇所は、第１厚肉部４６に対して一段下がった階段状に形成されている。これは、図７に示すように、遊技盤１１の表面に第１装飾枠構成部材３１を取付固定する際に、第１厚肉部４６の裏面のみが遊技盤１１の表面と当接し、第１厚肉部４６の裏面と遊技盤１１の表面とが当接している以外の箇所は遊技盤１１の表面と当接しないようにし、遊技盤１１の表面と第１装飾枠構成部材３１の裏面とが当接しない箇所には、所定間隔の隙間４９を形成するためである。
【００２９】
第２装飾枠構成部材３２は、装飾枠部材１３の右部に位置する部材である。この第２装飾枠構成部材３２は、正面視すると上側が第１装飾枠構成部材３１と隣接し、下側が第３装飾枠構成部材３３と隣接するように配置されている。図２及び図４に示すように、第２装飾枠構成部材３２は、正面視したときの右側に左右方向に向けて凹部及び凸部が形成された凹凸形状となる凹凸部５４が形成されている。この凹凸部５４は、遊技中に遊技球が右打ちされる強さで弾発されたときに、装飾枠部材１３の右側を流下する際に遊技球が諸現して流下方向及び流下速度を任意に変化させることができるようにするためのものである。即ち、この凹凸部５４は、右打ちされて装飾枠部材１３の右側を流下する遊技球の流下経路の一部を形成している。
【００３０】
また、図３及び図５に示すように、第２装飾枠構成部材３２は、裏面に厚肉部としての第２厚肉部５５が形成されている。この第２厚肉部５５は、第２装飾部材３２の裏面において、他の部分よりも肉厚が厚く裏面から後方に向けて盛り上がるように形成されている。なお、この盛り上がる寸法は、既に説明した第１厚肉部４６、そして後述する第３厚肉部６２及び第４厚肉部６８と同じであることが好ましい。第１厚肉部４６、第２厚肉部５５、第３厚肉部６２及び第４厚肉部６８の厚さを同じすることで、遊技盤１１に取付固定したときに装飾枠部材１３が前後方向に部分的に突出するなど、見栄えを良くすることができるとともに、遊技中に遊技領域１５を流下する遊技球の流下方向及び流下速度に必要以上の影響を及ぼさないようにすることができるからである。
【００３１】
第２厚肉部５５は、第１厚肉部４６と同じく第２ピン部材５６と第２装飾枠構成部材３２の表面から裏面まで貫通する貫通孔としての第２貫通孔５７とを有している。また、第２装飾枠構成部材３２は、上下方向に延びる形状をしており、この第２装飾枠構成部材３２の長手方向両端部に第２厚肉部５５が形成されている。また、第２厚肉部５５は、第１装飾枠構成部材３２において、第２ピン部材５６が第２貫通孔５７よりも長手方向端部に近い位置に配置されるように形成されている。なお、第２厚肉部５５は、第２装飾枠構成部材３２の上下方向両端部にのみ形成されているのではなく、所定間隔をおいた任意の位置に設けてもよい。例えば、図３及び図５に示すように、本実施の形態に係る遊技機１のように、第２装飾枠構成部材３２の長手方向中央部に形成してもよい。この第２厚肉部５５は、第２装飾枠構成部材３２を遊技盤１１に取付固定することができるように構成されているため、第２装飾枠構成部材３２を遊技盤１１に取り付けたときに第２厚肉部５５が形成されている箇所にのみ過度な負荷がかかって割れが生じたり、破損したりすることが生じないようにするためである。
【００３２】
なお、上記した通り、第２厚肉部５５は第２ピン部材５６及び第２貫通孔５７を備えているが、第２厚肉部５５における第２ピン部材５６及び第２貫通孔の詳細な構成については、第１厚肉部４６における第１ピン部材４７及び第１貫通孔４８と同様であるので、ここでの説明は省略する。また、第２装飾枠構成部材３２を遊技盤１１に取付固定したときに、第２厚肉部５５の裏面と遊技盤１１の表面とが当接している以外の箇所は遊技盤１１の表面と当接しないようにし、遊技盤１１の表面と第２装飾枠構成部材３２の裏面とが当接しない箇所には所定間隔の隙間が形成されるようになっていることは第１装飾枠構成部材３１を遊技盤１１に取付固定したときと同様である。
【００３３】
第３装飾枠構成部材３３は、装飾枠部材１３の下部に位置する部材である。この第３装飾枠構成部材３３は、正面視すると右側が第２装飾枠構成部材３２と隣接し、左側が第４装飾枠構成部材３４と隣接するように配置されている。図２及び図４に示すように、第３装飾枠構成部材３３は、正面視したときの上部に役物装置１２において遊技球を転動可能に形成したステージ６１が形成されている。役物装置１２においてステージ６１を転動した遊技球は、転動した後にステージ６１の前方からさらに下方に向けて流下したり、ステージ６１の下方に配置されている始動入賞装置１７の始動入賞口に入賞したりすることができるようになっている。
【００３４】
また、図３及び図５に示すように、第３装飾枠構成部材３３は、裏面に厚肉部としての第３厚肉部６２が形成されている。第３厚肉部６２は、第３装飾枠構成部材３３の裏面において、他の部分よりも肉厚が厚く裏面から後方に向けて盛り上がるように形成されている。なお、この盛り上がる寸法は、上記した通り第１厚肉部４６、第２厚肉部５５、第３厚肉部６２及び第４厚肉部６８と同じになることが好ましい。
【００３５】
第３厚肉部６２は、第１厚肉部４６及び第２厚肉部５５と同じく第３ピン部材６３と第３装飾枠構成部材３３の表面から裏面まで貫通する貫通孔としての第３貫通孔６４とを有している。また、第３装飾枠構成部材３３は、左右方向に延びる形状をしており、この第３装飾枠構成部材３３の長手方向両端部に第３厚肉部６２が形成されている。また、第３厚肉部６２は、第３装飾枠構成部材３３において、第３ピン部材６３が第３貫通孔６４よりも長手方向端部に近い位置に配置されるように形成されている。なお、第３厚肉部６２は、第３装飾枠構成部材３３の左右方向両端部にのみ形成されているのではなく、所定間隔をおいた任意の位置に設けてもよい。例えば、図３及び図５に示すように、本実施の形態に係る遊技機１のように、第３装飾部材３３の長手方向中央部に形成してもよい。この第３厚肉部６２は、第３装飾枠構成部材３３を遊技盤１１に取付固定することができるように構成されているため、第３装飾枠構成部材３３を遊技盤１１に取り付けたときに第３厚肉部６２が形成されている箇所にのみ過度な負荷がかかって割れが生じたり、破損したりすることが生じないようにするためである。
【００３６】
なお、上記した通り、第３厚肉部６２は第３ピン部材６３及び第３貫通孔６４を備えているが、第３厚肉部６２における第３ピン部材６３及び第３貫通孔６４の詳細な構成については、第１厚肉部４６における第１ピン部材４７及び第１貫通孔４８、並びに第２ピン部材５６及び第２貫通孔５７と同様であるので、ここでの説明は省略する。また、第３装飾枠構成部材３３を遊技盤１１に取付固定したときに、第３厚肉部６２の表面と遊技盤１１の表面とが当接している以外の箇所は遊技盤１１の表面と当接しないようにし、遊技盤１１の表面と第３装飾枠構成部材３３の裏面とが当接しない箇所には所定間隔の隙間が形成されるようになっていることは第１装飾枠構成部材３１及び第２装飾枠構成部材３２を遊技盤１１に取付固定したときと同様である。
【００３７】
第４装飾枠構成部材３４は、装飾枠部材１３の左部に位置する部材である。この第４装飾枠構成部材３４は、正面視すると上側に第１装飾枠構成部材３１と隣接し、下側に第３装飾枠構成部材３３と隣接するように配置されている。図２及び図４に示すように、第４装飾枠構成部材３４は、正面視したとき左側に遊技領域１５を流下する遊技球の一部を誘導する誘導部としての誘導路６６が形成されている。この誘導路６６は内部に遊技球の流下速度を調製するための減速リブ６７が複数形成され、さらに下流側の端部はその上流側の経路よりも左右方向に向けて屈曲するように形成されている。
【００３８】
また、図３及び図５に示すように、第４装飾枠構成部材３４は、裏面に厚肉部としての第４厚肉部６８が形成されている。第４厚肉部６８は、第４装飾枠構成部材３４の裏面において、他の部分よりも肉厚が厚く裏面から後方に向けて盛り上がるように形成されている。なお、この盛り上がる寸法は、上記した通り第１厚肉部４６、第２厚肉部５５及び第３厚肉部６２と同じになることが好ましい。
【００３９】
第４厚肉部６８は第１厚肉部４６、第２厚肉部５５及び第３厚肉部６２と同じく、第４ピン部材６９及び第４装飾枠構成部材３４の表面から裏面まで貫通する貫通孔としての第４貫通孔７０とを有している。また、第４装飾枠構成部材３４は、上下方向に延びる形状をしており、この第４装飾枠構成部材３４の長手方向両端部に第４厚肉部６８が形成されている。また、第４厚肉部６８は、第４装飾枠構成部材３４において、第４ピン部材６９が第４貫通孔７０よりも長手方向端部に近い位置に配置されるように形成されている。なお、第４厚肉部６８は、第４装飾枠構成部材３４の上下方向両端部にのみ形成されているのではなく、所定間隔をおいた任意の位置に設けてもよい。例えば、図３及び図５に示すように、本実施の形態に係る遊技機１のように、第４装飾枠構成部材３４の長手方向中央部に形成してもよい。この第４厚肉部６８は、第４装飾枠構成部材３４を遊技盤１１に取付固定することができるように構成されているため、第４装飾枠構成部材３４を遊技盤１１に取り付けたときに第４厚肉部６８が形成されている箇所にのみ過度な負荷がかかって割れが生じたり、破損したりすることが生じないようにするためである。
【００４０】
なお、上記した通り、第４厚肉部６８は第４ピン部材６９及び第４貫通孔７０を備えているが、第４厚肉部６８における第４ピン部材６９及び第４貫通孔７０の詳細な構成については、第１厚肉部４６における第１ピン部材４７及び第１貫通孔４８、第２厚肉部５５における第２ピン部材５６及び第２貫通孔５７、並びに第３厚肉部６２における第３ピン部材６３及び第３貫通孔６４と同様であるので、ここでの説明は省略する。また、第４装飾枠構成部材３４を遊技盤１１に取付固定したときに、第４厚肉部６８の裏面と遊技盤１１の表面とが当接している以外の箇所は遊技盤１１の表面と当接しないようにし、遊技盤１１の表面と第４装飾枠構成部材３４の裏面とが当接しない箇所には所定間隔の隙間が形成されるようになっていることは、第１装飾枠構成部材３１、第２装飾枠構成部材３２及び第３装飾枠構成部材３３を遊技盤１１に取付固定したときと同様である。
【００４１】
次に、本実施の形態に係る遊技機１の作用効果について説明する。ここではまず、第１〜第４装飾枠構成部材３１〜３４を遊技盤１１に取付固定するところから説明する。図４及び図５に示すように、第１〜第４装飾枠構成部材３１〜３４は、遊技盤１１に取付固定する前はそれぞれがバラバラの状態にある。この状態から、遊技盤１１に対して第１〜第４装飾枠構成部材３１〜３４を取付固定する。このとき、図７に示すように、遊技盤１１には、第１装飾枠構成部材３１の第１ピン部材４７、第２装飾枠構成部材の第２ピン部材５６、第３装飾枠構成部材３３の第３ピン部材６３及び第４装飾枠構成部材３４の第４ピン部材６９が挿入可能な挿入孔５１が所定位置に形成されている（なお、図７は遊技盤１１の挿入孔５１に対して第１装飾枠構成部材３１の第１ピン部材４７が挿入されている例のみを表している。第２ピン部材５６、第３ピン部材６３及び第４ピン部材６９が挿入孔５１に挿入されるのも同様の態様である。）。このように、遊技盤１１の挿入孔５１に対して第１ピン部材４７、第２ピン部材５６、第３ピン部材６３及び第４ピン部材６９を挿入することによって、遊技盤１１に対する第１〜第４装飾枠構成部材３１〜３４の位置決めをすることができ、遊技盤１１における適切な位置に設置することができるようになる。
【００４２】
次に、遊技盤１１に対して第１〜第４装飾枠構成部材３１〜３４を設置した後に、ネジ７１を用いて第１〜第４装飾枠構成部材３１〜３４を遊技盤１１に取付固定する。ネジ７１は、第１貫通孔４８を挿通させた後に遊技盤１１に形成された固定孔５２にネジ止めされる。同様に、ネジ７１は、第２貫通孔５７を挿通した後に遊技盤１１に形成された固定孔５２にネジ止め固定され、第３貫通孔６４を挿通した後に遊技盤１１に形成された固定孔５２にネジ止め固定され、さらに第４貫通孔７０を挿通した後に遊技盤１１に形成された固定孔５２にネジ止め固定される。これにより、遊技盤１１に対して第１〜第４装飾枠構成部材３１〜３４が固定され、装飾枠部材１３が遊技盤１１に設置されたことになる。
【００４３】
このとき、第１〜第４装飾枠構成部材３１〜３４は、第１厚肉部４６、第２厚肉部５５、第３厚肉部６２及び第４厚肉部６８が形成されている箇所においてのみ、遊技盤１１の表面と当接し、これ以外の箇所では遊技盤１１の表面と第１〜第４装飾枠構成部材３１〜３４の裏面とは当接せず、所定間隔の隙間４９が形成される。
【００４４】
このように、遊技盤１１の表面と第１〜第４装飾枠構成部材３１〜３４の裏面との間に所定間隔の隙間４９を形成することにより、遊技盤１１の表面と接触するのを第１厚肉部４６の裏面、第２厚肉部５５の裏面、第３厚肉部６２の裏面及び第４厚肉部６８の裏面のみにすることができ、遊技盤１１の表面と装飾枠部材１３の裏面とが接触する面積を大きく減少させることができる。したがって、本実施の形態に係る遊技機１によれば、遊技球が装飾枠部材１３に衝突することにより装飾枠部材１３が振動しても、装飾枠部材１３と遊技盤１１とが互いに擦れることによって生じる粉の発生をなくすことができ、遊技機１の見栄えを損ねることなく、また遊技領域１５における遊技球の流下経路に影響を及ぼすことのない遊技機１を提供することが可能になる。
【００４５】
また、本実施の形態に係る遊技機１によれば、第１厚肉部４６を第１ピン部材４７の周囲における第１の幅Ｗ１と第１貫通孔４８の周囲における第２の幅Ｗ２とを比べた場合に、第１の幅Ｗ１よりも第２の幅Ｗ２の幅の方が大きくなり、Ｗ１＜Ｗ２の関係が成立するように形成し、同様に第１ピン部材４７の周囲における幅Ｗ３と第１貫通孔４８の周囲における幅Ｗ４とを比べると、幅Ｗ３よりも幅Ｗ４の方が大きくなり、Ｗ３＜Ｗ４の関係が成立するように形成したので、これによっても遊技盤１１の表面と装飾枠部材１３の裏面とが接触する面積を大きく減少させることができる。特に、第１貫通孔４８の周囲の幅Ｗ２及びＷ４を第１ピン部材４７の周囲の幅Ｗ１及びＷ３よりも大きく形成することによって、第１装飾枠構成部材３１を遊技盤１１に取付固定するにあたって第１貫通孔４８を挿通させてネジ７１を遊技盤１１に形成されている固定孔５２にネジ止め固定するときに第１貫通孔４８から径方向外方に向けて第１装飾枠構成部材３１に亀裂が入り、強度が大きく低下したり見栄えが悪くなるのを防止することができる。また、上記したように、遊技球が装飾枠部材１３に衝突することにより装飾枠部材１３が振動しても、装飾枠部材１３と遊技盤１１とが互いに擦れることによって生じる粉の発生をさらによりなくすことができ、遊技機１の見栄えを損ねることなく、また遊技領域１５における遊技球の流下経路に影響を及ぼすことのない遊技機１を提供することが可能になる。
【００４６】
また、本実施の形態に係る遊技機１は、遊技盤１１に第１〜第４装飾枠構成部材３１〜３４を取付固定したときに、第１装飾枠構成部材３１、第２装飾枠構成部材３２、第３装飾枠構成部材３３及び第４装飾枠構成部材３４のうちの互いに隣接する部材同士の間に所定量の隙間を有している。これにより、たとえば、第１装飾枠構成部材３１に遊技球が衝突して第１装飾枠構成部材３１が振動したとしても、その振動の影響を第１装飾枠構成部材３１に隣接する第２装飾枠構成部材３２や第４装飾枠構成部材３４にまで及ぼさないようにすることができる。したがって、遊技球の衝突等のような何らかの原因によって装飾枠部材１３を交換することになった場合でも、第１〜第４装飾枠構成部材３１〜３４のうちの該当する部材のみを交換すればよく、交換時におけるコストを低減できるとともに、作業も簡略化することが可能になって作業効率を大きく向上させることも可能になる。
【００４７】
以上の通り、本発明に係る遊技機１について詳細に説明したが、上記したのは本発明に係る遊技機を例示したにすぎず、本発明の主旨を逸脱しない範囲において、任意に変更してもよい。例えば、本明細書では、装飾枠部材を構成する第１〜第４装飾枠構成部材について、遊技球が衝突する箇所と遊技盤に取付固定する箇所を一体的に成形した例を用いて説明したが、例えばこれら第１〜第４装飾枠構成部材を構成するにあたって、遊技盤に取り付ける部材と、遊技球が衝突する箇所を構成する部材とをそれぞれ別体に形成しておき、交換時には遊技球が衝突して劣化した箇所のみを交換できるように構成してもよい。また、上記した以外の構成であってもよい。
【符号の説明】
【００４８】
１  遊技機
８  操作ハンドル
１１  遊技盤
１２  センター役物
１３  装飾枠部材
１４  案内レール
１５  遊技領域
３１  第１装飾枠構成部材
３２  第２装飾枠構成部材
３３  第３装飾枠構成部材
３４  第４装飾枠構成部材
３５〜３８  隙間
４２  リブ
４３  第１リブ
４４  第２リブ
４５  第３リブ
４６  第１厚肉部
４７  第１ピン部材
４８  第１貫通孔
４９  隙間
５５  第２厚肉部
５６  第２ピン部材
５７  第２貫通孔
６２  第３厚肉部
６３  第３ピン部材
６４  第３貫通孔
６６  誘導路
６７  減速リブ
６８  第４厚肉部
６９  第４ピン部材
７０  第４貫通孔
【図１】
2020081105.tif 000003
【図２】
2020081105.tif 000004
【図３】
2020081105.tif 000005
【図４】
2020081105.tif 000006
【図５】
2020081105.tif 000007
【図６】
2020081105.tif 000008
【図７】
2020081105.tif 000009